(57)【要約】【課題】製造工程が簡便な高機能のナノファイバーを提供する。【解決手段】ナノファイバーは、ヨモギ、柿の葉、及びイタドリの発酵抽出物と、熱可塑性樹脂と、を含む。ナノファイバーは界面活性剤を含んでいてもよい。ナノファイバーの断面の直径は、３００ｎｍ〜９００ｎｍである。ナノファイバーには消臭効果、有害物質の除去効果、抗酸化作等がある。ナノファイバーは、建築建材（例えば、クロス、断熱材等。）、リビング関連資材（例えば、テーブルクロス、寝具、リネン、カーテン、家具等。）日用品（介護用品、ベビー用品、清掃用品、衛生用品等。）被覆（アウターウエア、アンダーウエア、スポーツウエア、作業服、靴下、生地・布、産業用繊維等。）包装資材（食材の保鮮梱包材等。）に使用できる。【選択図】なし【特許請求の範囲】
【請求項１】
ヨモギ、柿の葉、及びイタドリの発酵抽出物と、
熱可塑性樹脂と、
を含むナノファイバー。
【請求項２】
界面活性剤をさらに含む請求項１に記載のナノファイバー。
【請求項３】
請求項１又は請求項２に記載のナノファイバーを用いた、クロス及び断熱材から１種類以上選ばれる建築建材。
【請求項４】
請求項１又は請求項２に記載のナノファイバーを用いた、テーブルクロス、寝具、リネン、カーテン、及び家具から１種類以上選ばれるリビング関連資材。
【請求項５】
請求項１又は請求項２に記載のナノファイバーを用いた、介護用品、ベビー用品、清掃用品、及び衛生用品から１種類以上選ばれる日用品。
【請求項６】
請求項１又は請求項２に記載のナノファイバーを用いた被服。
【発明の詳細な説明】
【技術分野】
【０００１】
本発明は、ナノファイバーに関するものである。
【背景技術】
【０００２】
繊維の直径がナノサイズであるナノファイバーは、従来建材、自動車、衣料などの分野において使用されてきた。ナノファイバーの用途は、例えば招集、抗菌、防臭、吸湿などの機能を活用するものである。
【０００３】
これらの機能をさらに効果的なのもとするために、親水性のポリマーと疎水性のポリマーとのポリマーアロイによってナノファイバーを生成し、生成したナノファイバーをヨモギ抽出物に浸漬し、これを乾燥させた機能性ナノファイバーが提案されている（例えば、特許文献１。）。
【０００４】
しかし、ヨモギの抽出物に浸漬するだけでは、出来上がったナノファイバーの効果は限られたものであった。
【先行技術文献】
【特許文献】
【０００５】
【特許文献１】特許第４５８１４６７号公報
【発明の概要】
【発明が解決しようとする課題】
【０００６】
本発明が解決しようとする課題は、製造工程が簡便な高機能のナノファイバーを提供することである。
【課題を解決するための手段】
【０００７】
本発明は、ヨモギ、柿の葉、及びイタドリの発酵抽出物と、熱可塑性樹脂と、を含むナノファイバーを提供する。
【発明の効果】
【０００８】
本発明によれば、製造工程が簡便な高機能のナノファイバーを提供することができる。
【図面の簡単な説明】
【０００９】
【図１】ナノファイバーによるアンモニアガスの除去効果を示す図。
【図２】ナノファイバーによる酢酸ガスの除去効果を示す図。
【図３】ナノファイバーによるイソ吉草酸ガスの除去効果を示す図。
【図４】ナノファイバーによる有害化学物質の浄化効果を示す図。
【図５】ナノファイバーによるその他の有害物質の除去効果を示す図。
【発明を実施するための形態】
【００１０】
以下、本発明の一実施形態にかかるナノファイバーを、図面を参照しながら説明する。
【００１１】
（第１の実施形態）
（ナノファイバーの構成）
本実施形態のナノファイバー（以下、単にナノファイバーという。）は、ヨモギ、柿の葉、及びイタドリの発酵抽出物と、熱可塑性樹脂と、を含む。
【００１２】
ナノファイバーの断面の直径は、３００ｎｍ〜９００ｎｍであり、最頻値は５００ｎｍである。
【００１３】
熱可塑性樹脂としては、例えばポリプロピレン、ポリエチレン、ポリウレタン、ポリ乳酸、ポリエステル等から１種類以上選ばれるものを使用することができる。
【００１４】
（ナノファイバーの製造方法）
（発酵抽出物の製造方法）
発酵抽出物は、以下のように製造される。
【００１５】
（１）ヨモギ、柿の葉、及びイタドリの生の葉及び枝を主原料とする植物の粉砕物を水性溶媒によって抽出する。植物の粉砕物の中には、蓬、柿の葉、及びイタドリ以外の植物が含有されていてもよい。蓬、柿の葉、及びイタドリの配合割合は、１：１：１が望ましいが、いずれかの成分が多くなっていても、或いは少なくなっていてもよい。
【００１６】
水性溶媒は、例えば水、エタノールを挙げることができる。
【００１７】
（２）（１）の抽出物を所定時間発酵させる。
【００１８】
発酵に用いる菌は、例えば酵母菌、乳酸菌等を用いることができる。
【００１９】
なお、発酵抽出物は有限会社ネイチャーグレイス社製、商品名「万生」を用いることができる。また、植物加工物はその他の添加物、例えば糖類、ビタミン類、アミノ酸類などを含んでいてもよい。
【００２０】
（ナノファイバーの製法）
ナノファイバーは、マスターバッチにより植物加工物を熱可塑性樹脂に練り込み、ペレット化した原料ペレットを、加熱溶解された熱可塑性樹脂の樹脂ペレットと同時に空気中に噴き出すことにより製造される。
【００２１】
各成分の割合は、それぞれ全量に対して原料ペレットが２重量％〜５重量％残部が樹脂ペレットである。具体的な製法を以下に述べる。
【００２２】
（１）上記の発酵抽出物１００ｇに対して熱可塑性樹脂ペレット１００ｇの割合にて混合し、１００℃〜１１０℃により加熱しながら撹拌する。
【００２３】
（２）水分が蒸発しきるまで、練り込む。
【００２４】
（３）ペレットに成型し、原料ペレットとする。原料ペレットは、有限会社ネイチャーグレイス社製、商品名「万生マスターバッチ」を用いることができる。
【００２５】
原料ペレットは、他の成分を含んでいてもよい。他の成分は、例えば、分散剤、着色剤などである。他の成分を含んでいても、生成されるナノファイバーはその効果を発揮することができる。
【００２６】
（４）全量に対して原料ペレットが２重量％〜５重量％、残部が樹脂ペレットの割合になるように、それぞれ加熱しながら空気中に噴き出すことによりナノファイバーを生成する。この生成方法は、例えば加熱された各原料の吹き出し口に高圧圧縮空気の吹き出し口を設け、高圧圧縮空気を吹き出すことによって生じる陰圧によって各原料を空気中に噴出させる方法などが挙げられる（詳しくは、例えば特許第６１７１０７２号参照。）
【００２７】
（ナノファイバーの用途）
ナノファイバーは、以下の用途に用いることができる。ナノファイバーは、不織布としても、織り上げて布帛としても使用できる。
・建築建材（例えば、クロス、断熱材等。）
・リビング関連資材（例えば、テーブルクロス、寝具、リネン、カーテン、家具等。）
・日用品（介護用品、ベビー用品、清掃用品、衛生用品等。）
・被服（アウターウエア、アンダーウエア、スポーツウエア、作業服、靴下、生地・布、産業用繊維等。）
・包装資材（食材の保鮮梱包材等。）
・その他の資材（自動車内装、玩具等。）
【００２８】
（ナノファイバーの効果）
（消臭・空気浄化効果）
ナノファイバーは臭いの原因物質を除去する効果を有する。
【００２９】
図１はナノファイバーによるアンモニアガスの除去効果を示す図、図２はナノファイバーによる酢酸ガスの除去効果を示す図、図３はナノファイバーによるイソ吉草酸ガスの除去効果を示す図である。図１から図３までの各図において、縦軸はナノファイバーの投入直後測定値を１００％とする残存率を、横軸は右末端をナノファイバー投入直後（０時間）とし、左末端をナノファイバー投入後８時間として時間経過を示す。
【００３０】
図１から図３までに示すように、それぞれのガスを室温にて空気に飽和させた気体１ｌに５ｇの割合にてナノファイバーを投入したところ、約４時間にて各ガスの濃度が１０％以下となった。
【００３１】
従って、ナノファイバーには消臭効果があるといえる。
【００３２】
図４は、ナノファイバーによる有害化学物質の浄化効果を示す図である。斜線を付したグラフは従来工法の施工直後の測定値の平均値、墨掛けを付したグラフは本実施形態のナノファイバーを用いた場合の施工直後の測定値を示す。
【００３３】
図４に示すように、住宅のリビングの壁面に厚さ約３ｍｍにてナノファイバーを施工した場合、施工直後には従来の工法に比べてホルムアルデヒド、アセトアルデヒド、トルエンのいずれも厚生労働省の基準以下に抑ええることが可能となる。また、従来工法に比べて、明らかに有害物質の濃度を低下させることができる。
【００３４】
図５は、ナノファイバーによるその他の有害物質の除去効果を示す図である。
【００３５】
図５に示すように、従来のリビングの施工例においては、施工後１か月たっても有害物質が検出されるのに対し、リビングの壁面に厚さ約３ｍｍにてナノファイバーを施工した場合、施工直後においても格段に有害物質の濃度が低減される。
【００３６】
従って、ナノファイバーには有害物質の除去効果があるといえる。
【００３７】
（その他の効果）
ナノファイバーは抗菌性、抗酸化作用も有する。
【００３８】
従って、ナノファイバーによってエアフィルターを作れば、エアコンなどから吹き出す空気の殺菌、消臭、有害物質の除去効果がある。
【００３９】
以上述べたように、本実施形態のナノファイバーは、ヨモギ、柿の葉、及びイタドリの発酵抽出物と、熱可塑性樹脂と、を含む。
【００４０】
従って、本発明によれば、製造工程が簡便な高機能のナノファイバーを提供することができるという効果がある。
【００４１】
（第２の実施形態）
（ナノファイバーの構成）
本実施形態のナノファイバー（以下、単にナノファイバーという。）は、ヨモギ、柿の葉、及びイタドリの発酵抽出物と、熱可塑性樹脂と、界面活性剤と、を含む。
【００４２】
本実施形態のナノファイバーは、構成において界面活性剤が含まれる点、製造工程において界面活性剤を用いる点、及び効果が異なり、他は第１の実施形態と同様である。従って、差異点のみ説明する。
【００４３】
界面活性剤は、イオン系界面活性剤でも、非イオン系界面活性剤でもよい。イオン系界面活性剤としては、例えばアニオン系の直鎖アルキルベンゼンスルホン酸塩、アルキル硫酸エステル塩等の他、カチオン系、両性界面活性剤を使用することができる。また、非イオン系界面活性剤としては、ポリオキシエチレンアルキルエーテル、ポリオキシエチレンポリオキシプロピレングリコール等を使用することができる。
【００４４】
（ナノファイバーの製造方法）
（発酵抽出物の製造方法）
発酵抽出物は、第１の実施形態の発酵抽出物と同様に製造される。
【００４５】
（ナノファイバーの製法）
ナノファイバーは、マスターバッチにより植物加工物を熱可塑性樹脂に練り込み、ペレット化した原料ペレットを、加熱溶解された熱可塑性樹脂の樹脂ペレット及び界面活性剤と同時に空気中に噴き出すことにより製造される。
【００４６】
各成分の割合は、それぞれ全量に対して原料ペレットが２重量％〜５重量％、界面活性剤が０．１重量％〜１０重量％、残部が樹脂ペレットである。具体的な製法を以下に述べる。
【００４７】
（１）原料ペレットの製造方法は第１の実施形態の原料ペレットの製造方法と同様である。
【００４８】
原料ペレットは、他の成分を含んでいてもよい。他の成分は、例えば、分散剤、着色剤などである。他の成分を含んでいても、生成されるナノファイバーはその効果を発揮することができる。
【００４９】
（２）全量に対して原料ペレットが２重量％〜５重量％、界面活性剤が０．１重量％〜１０重量％、残部が樹脂ペレットの割合になるように、それぞれ加熱しながら空気中に噴き出すことによりナノファイバーを生成する。この生成方法は、例えば加熱された各原料の吹き出し口に高圧圧縮空気の吹き出し口を設け、高圧圧縮空気を吹き出すことによって生じる陰圧によって各原料を空気中に噴出させる方法などが挙げられる（詳しくは、例えば特許第６１７１０７２号参照。）
【００５０】
（ナノファイバーの用途）
ナノファイバーは、以下の用途に用いることができる。ナノファイバーは、不織布としても、織り上げて布帛としても使用できる。
・建築建材（例えば、クロス、断熱材等。）
・リビング関連資材（例えば、テーブルクロス、寝具、リネン、カーテン、家具等。）
・日用品（介護用品、ベビー用品、清掃用品、衛生用品等。）
・被服（アウターウエア、アンダーウエア、スポーツウエア、作業服、靴下、生地・布、産業用繊維等。）
・包装資材（食材の保鮮梱包材等。）
・その他の資材（自動車内装、玩具等。）
【００５１】
（ナノファイバーの効果）
（消臭・空気浄化効果）
ナノファイバーは臭いの原因物質を除去する効果を有する。加えて、本実施形態のナノファイバーは界面活性剤を含有しているため、親水性を呈する。従って、第１の実施形態のナノファイバーに比べてより効率よく消臭・空気清浄の効果を発揮する。
【００５２】
また、本実施形態のナノファイバーは、親水性の樹脂と疎水性の樹脂とのコンパウンドのファイバーより吸湿性、吸着性に優れている。
【００５３】
ナノファイバーは抗菌性、抗酸化作用も有する。
【００５４】
従って、ナノファイバーによってエアフィルターを作れば、エアコンなどから吹き出す空気の殺菌、消臭、有害物質の除去効果がある。
【００５５】
以上述べたように、本実施形態のナノファイバーは、ヨモギ、柿の葉、及びイタドリの発酵抽出物と、熱可塑性樹脂と、界面活性剤と、を含む。
【００５６】
従って、本発明によれば、製造工程が簡便な、より高機能のナノファイバーを提供することができるという効果がある。
【図１】
2019183327.tif 000002
【図２】
2019183327.tif 000003
【図３】
2019183327.tif 000004
【図４】
2019183327.tif 000005
【図５】
2019183327.tif 000006